(57)【特許請求の範囲】
【請求項１】
杆部と、この杆部の先端部から垂下する垂下部と、この垂下部の下端にて開口する吐水口とを有する吐水管に取着される吐水管キャップであって、
前記杆部の上面部分及び垂下部の前面部分を覆うと共に、杆部に係合固定される固定部を有する第１キャップ体と、この第１キャップ体に一体化され前記杆部の下面部分及び垂下部の後面部分を覆う第２キャップ体とを備え、
前記第１キャップ体の前記垂下部を覆う部分の内面には、前記垂下部の先端部分に形成した係合部に係合する係合受部を設けたことを特徴とする吐水管キャップ。
【請求項２】
前記係合受部は、これが係合されるべき前記係合部が前記垂下部の下端部分に設けてあるものを対象とすることを特徴とする請求項１に記載の吐水管キャップ。
【請求項３】
前記第１キャップ体の固定部を、当該第１キャップ体の下方に延出し、前記杆部をその半周を越えて抱持する腕形状のものとしたことを特徴とする請求項１または請求項２に記載の吐水管キャップ。
【発明の詳細な説明】
【０００１】
【発明の属する技術の分野】
本発明は、台所や浴室において使用される湯水混合水栓等の水栓の吐水管の先端部分を被覆するキャップに関し、特に複数に分割されて吐水管の先端部に一体化するようにした吐水管キャップに関するものである。
【０００２】
【従来の技術】
例えば、台所や浴室において使用される湯水混合水栓等の水栓の吐水管は、金属製のものとして形成してあるため、熱湯を吐出させた後には、過熱したものとなる。このため、吐水管の手や身体が触れ易い部分に、合成樹脂等の断熱性のある材料によって形成した吐水管キャップを取着することが行われている。また、吐水管キャップは、吐水管を構成している金属に対して、色や材質を簡単に異ならせることができるため、吐水管全体の意匠的な美観を図る上でも大いに利用されているものである。
【０００３】
このような吐水管のキャップの中には、例えば実開平７−２９０５９号公報に提案されているようなものがある。これは、図１５に示すように、吐水管の先端部分の上側及び前面側を覆う第１キャップ体と、下面側及び後面側を覆う第２キャップ体とからなる分割キャップ体である。そして、この分割キャップ体は、その内の一つを他の一つに前方から差し込んで一体化するようにしたものであってその端部のみにて単に係合固定することにより一体化を行なうものである。
【０００４】
従って、この従来の分割キャップ体は、その各々の杆部等に対する寸法精度を非常に厳しくしておかないと、これを吐水管に対して取り付けた時にガタつきが生じ、水栓の使用の際の振動等により異音が生じることになる。また、吐水管等に対してガタがあると、分割キャップ体の接合縁部における固定が外れて、各キャップ体が吐水管から簡単に外れてしまう虞が十分あると考えられるのである。それだけでなく、両キャップ体を吐水管の先端部に一体化する際に、第１キャップ体を吐水管の先端部上に載置した上で、これを吐水管側に押圧しながら第２キャップ体の一体化を行わないと、その一体化を確実に行えないと考えられる。何故なら、第１キャップ体に係合させるべく、第２キャップ体に力を加えたときに第１キャップ体が吐水管から簡単にズレてしまうからである。
【０００５】
そこで、本発明者等は、分割体からなる吐水管キャップにおいて、吐水管に対する一体化をガタつきなく行え、しかも一体化後は、吐水管から簡単には外れないようにするにはどうしたらよいかについて種々検討を重ねてきた結果、本発明を完成したのである。
【０００６】
【発明が解決しようとする課題】
本発明は、以上のような経緯に基づいてなされたもので、その解決しようとする課題は、分割された吐水管用キャップの、吐水管に対する確実な一体化とその容易化である。
【０００７】
すなわち、請求項１に係る発明の目的とするところは、吐水管に対する一体化を、容易かつガタつかせることなく確実に行うことができて、吐水管から簡単に外れないようにすることができ、しかもそのための構造としてそれ程の寸法精度が要求されることのない吐水管キャップを提供することにある。
【０００８】
また、請求項２に係る発明の目的とするところは、上記請求項１に係る発明の目的を達成することができる他、特に第１キャップ体を吐水管に対して回動し難くして、その固定をより一層確実にでき、吐水管から簡単には外れないようにすることのできる吐水管キャップを、簡単な構造によって提供することにある。
【０００９】
さらに、請求項３に係る発明の目的とするところは、上記請求項１または請求項２に係る発明の目的を達成することができる他、吐水管キャップ全体の吐水管側に対する固定をより一層確実にでき、吐水管から簡単には外れないようにすることのできる吐水管キャップを、簡単な構造によって提供することにある。
【００１０】
【課題を解決するための手段】
以上の課題を解決するために、まず、請求項１に係る発明の採った手段は、後述する実施の形態の説明中で使用する符号を付して説明すると、
「杆部２１０と、この杆部２１０の先端部２１１から垂下する垂下部２１２と、この垂下部２１２の下端に開口する吐水口２１３とを有する吐水管２００に取着される吐水管キャップ１００であって、
杆部２１０の上面部分及び垂下部２１２の前面部分を覆うと共に、杆部２１０に係合固定される固定部１２を有する第１キャップ体１０と、この第１キャップ体１０に一体化され杆部２１０の下面部分及び垂下部２１２の後面部分を覆う第２キャップ体２０とを備え、
第１キャップ体１０の垂下部２１２を覆う部分の内面には、垂下部２１２の先端部分に形成した係合部２１４に係合する係合受部１６を設けたことを特徴とする吐水管キャップ」
である。
【００１１】
以上の第１キャップ体１０は、これを吐水管２００の杆部２１０と、この杆部２１０の先端側に設けてある垂下部２１２に装着したとき、その固定部１２によって杆部２１０側に係合固定されるのである。そして、このとき、第１キャップ体１０の内面側に形成してある係合受部１６が、垂下部２１２の先端部分（前面部分）に形成してある係合部２１４に係合するのである。
【００１２】
従って、第１キャップ体１０の吐水管２００に対する装着を、杆部２１０に固定する固定部１２と、垂下部２１２の係合部２１４に係合する係合受部１６との互いに離れた複数箇所において行えるのであり、これにより全体が吐水管２００に対してガタつくことなく一体化され、吐水管キャップ１００全体を吐水管２００に対して確実に一体化することができるのである。
【００１３】
垂下部２１２の先端部分における係合受部１６と係合部２１４との係合は、図２に示した第１実施例の場合は、垂下部２１２の前部下端でなされるものであって、図１２に示した第２実施例の場合は、垂下部２１２の上部前面でなされるものである。勿論、図２及び図１２に示した実施形態の係合受部１６は、垂下部２１２側の係合部２１４に向けて突出する形状のものであるが、この係合受部１６を例えば凹所や溝として、これが係合する係合部２１４を係合受部１６側に向けて突出する突起状のものとして実施してもよい。
【００１４】
従って、この請求項１の吐水管キャップ１００を構成している第１キャップ体１０は、吐水管２００を構成している垂下部２１２の先端部分に対しては、その係合受部１６と垂下部２１２側の係合部２１４とによる係合がなされるのであり、吐水管２００の杆部２１０に対しては、固定部１２によって係合固定がなされるのである。このため、当該第１キャップ体１０は、吐水管２００の杆部２１０及び垂下部２１２に対する取付と位置決めがなされるのであり、吐水管２００に対してガタつくことがなくなるのである。
【００１５】
一方、第２キャップ体２０については、例えば図３に示すように、杆部２１０の下面部分と垂下部２１２の後面部分とを覆い、上記第１キャップ体１０に対して一体化されるものとしたものである。従って、この第２キャップ体２０は、上記第１キャップ体１０に対して一体化された後は、吐水管２００に対してガタつかないことは当然として、吐水管２００の先端部分を第１キャップ体１０とともに完全に覆うことになるのである。
【００１６】
以上の結果、この請求項１に係る吐水管キャップ１００は、吐水管２００の先端部に対してガタつくことなく装着されるのであり、吐水管２００から簡単に外れることはないのである。特に、この吐水管キャップ１００は、その第１キャップ体１０の係合受部１６と垂下部２１２側の係合部２１４との係合、及び固定部１２による杆部２１０側への係合固定を行うようにしたものであるから、第１キャップ体１０や第２キャップ体２０の全体を精度良く形成しなくても、吐水管２００に対する一体化を確実に行えるのである。
【００１７】
また、上記課題を解決するために、請求項２に係る発明の採った手段は、上記請求項１に係る吐水管キャップ１００について、
「係合受部１６は、これが係合されるべき係合部２１４が垂下部２１２の下端部分に設けてあるものを対象とすること」
である。
【００１８】
すなわち、この請求項２に係る吐水管キャップ１００では、吐水管２００の係合部２１４が垂下部２１２の下端部分に設けられており、第１キャップ体１０の係合部１６がこれと係合することにより、吐水管２００の杆部２１０の軸芯下方に固定点が形成されることになる。よって、第１キャップ体１０は、吐水管２００に対して回動し難くなり、吐水管２００に対する固定が確実となるのである。
【００１９】
そして、上記課題を解決するために、請求項３に係る発明の採った手段は、上記請求項１または請求項２に係る吐水管キャップ１００について、
「第１キャップ体１０の固定部１２を、当該第１キャップ体１０の下方に延出し、杆部２１０をその半周を越えて抱持する腕形状のものとしたこと」
である。
【００２０】
固定部１２が、杆部２１０の外周の半周を越えて抱持すれば、この固定部１２は、例えば図６の（イ）に示したように、これ自体が有する弾力性によって、杆部２１０の表面に言わば巻き付くことになり、この吐水管キャップ１００では、これを吐水管２００に対して一体化する場合に、その第１キャップ体１０のみを吐水管２００側に装着して手を離しても、これが吐水管２００から落下することはなく、次の第２キャップ体２０を用意するために第１キャップ体１０から手を離してもよいということになる。このことは、吐水管２００に対する吐水管キャップ１００の一体化作業を簡単に行えるようにすることを意味している。
【００２１】
また、各固定部１２が、杆部２１０の外周の半周を越えて抱持するものであることは、例えば図３に示したように、後述する第２キャップ体２０を各固定部１２の外側に嵌合する場合に、各固定部１２の外面を案内面とすることができるから、第１キャップ体１０に対する第２キャップ体２０の取り付け作業をさらに容易にすることもできることを意味している。そして、各固定部１２の側面を第２キャップ体２０の案内面した場合には、この固定部１２に第２キャップ体２０を外から嵌合させる際の押圧力によって、各固定部１２が吐水管２００側に圧接され、第１キャップ体１０を杆部２１０側にしっかりと押圧している必要は全くなくなり、このことによっても、吐水管キャップ１００の吐水管２００に対する一体化作業の容易化を図ることができるのである。
【００２２】
【発明の実施の形態】
以上のように構成した各請求項に係る発明を、図面に示した実施の形態である吐水管キャップ１００について説明するが、この吐水管キャップ１００は、図１〜図１１に示した第１実施例のものと、図１２〜図１４に示した第２実施例のものとの２種類があるので、以下では両実施例に分けて説明を行うこととする。
【００２３】
本発明に係る吐水管キャップ１００は、図１に示したように、台所や浴室に設置される湯水混合水栓等の水栓の吐水管２００に一体化されるものであるが、本実施形態の吐水管キャップ１００が適用される吐水管２００は、図２及び図１０に示したような構成を有しているものである。そこで、本発明に係る吐水管キャップ１００を説明する前に、この吐水管２００について説明すると、次の通りである。
【００２４】
すなわち、この吐水管２００は、丸パイプからなる杆部２１０の先端部２１１に、下端が吐水口２１３となっている垂下部２１２を一体化して形成したものであり、この吐水管２００の吐水口２１３内には、図２に示したように、整流器２２０が収納配置され、この整流器２２０の下端は整流器キャップ２２１によって覆蓋されることになるものである。また、吐水口２１３の前端面の下部には、図２に示したように、後述する第１キャップ体１０側の係合受部１６が係合されるべき係合部２１４が一体的に形成してある。なお、図１０に示した第１実施例における垂下部２１２では、その下端部分を上部分よりも大径の吐水口用垂下部２１２ａとしてあり、この吐水口用垂下部２１２ａの下端開口を吐水口２１３としてある。
【００２５】
整流器キャップ２２１は、図２及び図１１に示したように、吐水口２１３内に螺着される取付ネジ部２２２と、この取付ネジ部２２２の外径より大きい鍔部２２３とを有しているものである。つまり、この整流器キャップ２２１は、図２に示したように、吐水管２００の先端部分に本発明に係る吐水管キャップ１００を一体化した後に、吐水口２１３内に整流器２２０を収納してから、その取付ネジ部２２２にて吐水口２１３内に螺着されるものである。
【００２６】
この整流器キャップ２２１が吐水管２００の先端部に取り付けられると、図２に示したように、その鍔部２２３の上面側になる水平段部にて、吐水管キャップ１００を構成している後述の第１キャップ体１０の、垂下部２１２を包み込んでいる部分の下端面と、第１キャップ体１０に装着された後述の第２キャップ体２０の前方下面とを受承することになる。つまり、この整流器キャップ２２１は、吐水管２００の先端部に一体化した後述の吐水管キャップ１００を、その鍔部２２３にて吐水管２００側に確実に一体化するものでもある。
【００２７】
（第１実施例）
以上のような吐水管２００に一体化される吐水管キャップ１００は、図４〜図６に示した第１キャップ体１０と、図７〜図９に示した第２キャップ体２０とを備えたものであり、これらの第１キャップ体１０及び第２キャップ体２０は、断熱性に富む合成樹脂によりそれぞれ一体成形したものである。なお、本実施形態の第１キャップ体１０及び第２キャップ体２０は、同一色のものとして形成されているのであるが、第１キャップ体１０と第２キャップ体２０との着色をそれぞれ異ならせれば、吐水管キャップ１００をツートーンカラーのものとすることができて、当該吐水管キャップ１００全体の意匠的美観をより一層向上させることができるものであり、分割したことによる長所を十分に生かすことができるものである。
【００２８】
この第１実施例の第１キャップ体１０は、図２等にて示したように、吐水管２００の先端部分、つまり杆部２１０の上面部分及び垂下部２１２の前面部分を覆う本体部１１を有している。つまり、この本体部１１は、吐水管２００側の先端部２１１の上方と垂下部２１２の、後側を除く周囲とを包み込む略球状の前部と杆部２１０の上側半分を包み込んで当該杆部２１０上に載置される後部とからなり、これらの前部及び後部を滑らかな曲面で連続させたものである。
【００２９】
この本体部１１の後部の両下端に対しては、特に図６の（イ）に明示したように、固定部１２がそれぞれ一体的に形成してある。これら各固定部１２は、杆部２１０の側面の外周の半周を越えて抱持することになるものである。これらの各固定部１２は、当該第１キャップ体１０が吐水管２００の前方部分に上方から装着されるとき、杆部２１０の外周面によって拡開されることになり、装着が完了すれば、自身が有する弾力性によって元の状態、つまり図６に示した状態に復帰するものである。従って、これらの固定部１２は、第１キャップ体１０単独で吐水管２００の先端部に装着されたときの上下方向へのガタつきの防止と、抜け止めとの、２つの作用を発揮することになるものである。
【００３０】
なお、これら各固定部１２の下端には、図４及び図６に示したように、固定部１２の下方に突出する拡開防止片１３が一体的に形成してある。これらの拡開防止片１３は、図３〜図６に示したように、各固定部１２の下端にて横方向に延在するものとして各固定部１２と一体的に形成したものであり、特に図６の（イ）に示したように、各固定部１２が杆部２１０を抱持する形状にしてあるのに対し当該拡開防止片１３は、杆部２１０の下方、すなわち第２キャップ体２０の装着方向に突出する状態となるものである。また、この拡開防止片１３は、後述する第２キャップ体２０の嵌合収納部２１側に形成した拡開阻止凹部２２内に収納されるものである。
【００３１】
また、図５に示したように、以上の各固定部１２及び拡開防止片１３は、杆部２１０の下方に開口する第１開口１４ａを形成し、第１キャップ体１０の本体部１１の前部の後端は、第２キャップ体２０が装着される第２開口１４ｂを形成し本体部１１の前部の下端は、当該前部を先端部２１１及び垂下部２１２上に装着するための第３開口１４ｃを形成する。なお、上述した第２開口１４ｂは、特に図３から明らかなように、その開口端面が垂直方向に位置することになるものである。この第２開口１４ｂには、図５に示したように、スライド係合部１５が一体的に形成してあり、このスライド係合部１５には、後述する第２キャップ体２０側のスライド係合部２３が係合されることになるものである。
【００３２】
そして、この第１キャップ体１０では、図２及び図３に示したように、その本体部１１の正面となる部分の内側下端に係合受部１６が形成してあり、この係合受部１６は、吐水管２００側の垂下部２１２の下端部分に形成した係合部２１４に対して、図２に示したように係合することになるものである。特に、本実施例における係合受部１６は、図２、図３、及び図５に示したように、基端部分１１の内側部分であって、その正面部分側とこれに加えて両側部分との合計３箇所に形成してある。これにより、第１キャップ体１０は、垂下部２１２下部においてこれに３点で固定され、吐水管２００への固定がより確実となる。なお、図２等に例示した各係合受部１６は、垂下部２１２側の係合部２１４に向かう突起としたものであるが、これを凹所または凹溝として、垂下部２１２側の係合部２１４を突起として形成して実施してもよいものである。
【００３３】
一方、係合受部１６が係合されるべき垂下部２１２側の係合部２１４は、図１０の（ロ）または（ハ）に示すような形状のものとして形成される。すなわち、図１０の（ロ）に示した係合部２１４は、吐水口用垂下部２１２ａの下端外周を他より小径に形成することにより、周りから対向してくる各係合受部１６の先端を係合させる段部としたものであり、吐水口用垂下部２１２ａの外周面を、係合受部１６の案内面としたものである。つまり、前述した第１キャップ体１０を吐水管２００の前方部分に上から装着したとき、各係合受部１６は吐水口用垂下部２１２ａの表面にて案内されて互いに外方へ僅かに拡開し、装着の最終段階に至ると、各係合受部１６は段部である係合部２１４に係合することになるものである。
【００３４】
図１０（ハ）に示した係合部２１４は、上述した吐水口用垂下部２１２ａの下部周囲に形成した円環状の溝であり、この係合部２１４に対しても、上述した各係合受部１６が係合することになるものである。この円環状溝である係合部２１４は、金属によって形成した吐水口用垂下部２１２ａを含む垂下部２１２に対する加工を容易にしているものである。
【００３５】
以上のような第１キャップ体１０に対して、図２、図３及び図６に示したように取り付けられる第２キャップ体２０は、図７〜図９に示したような形状のものであり、その後端面を背面から見た場合、図９の（イ）に示したような半円弧状のものとなるものである。また、この第２キャップ体２０には、図７及び図８にも示したように、固定部１２の下面を包み込む嵌合収納部２１と、この嵌合収納部２１の内側に第１キャップ体１０側の各拡開防止片１３を係合収納することになる拡開阻止凹部２２とがそれぞれ形成してある。そして、この第２キャップ体２０の前端面には、第１キャップ体１０側のスライド係合部１５に下方から挿入されるスライド係合部２３が形成してある。
【００３６】
すなわち、この第２キャップ体２０は、図３にも示したように、第１キャップ体１０の下側からその各第１開口１４ａ及び第２開口１４ｂを覆蓋するために使用されるものであり、杆部２１０の下面部分及び垂下部２１２の後面部分を覆うものである。つまり、この第２キャップ体２０は、まず前端部に形成してあるスライド係合部２３の上端を、第１キャップ体１０側のスライド係合部１５の下端に係合させて、そのまま全体を上方にスライドさせることにより、第１キャップ体１０側に装着されるものである。そして、その嵌合収納部２１によって第１キャップ体１０側の両固定部１２の下面を包み込み、そのまま強く押し込むことにより、拡開阻止凹部２２が第１キャップ体１０側の拡開防止片１３をその中に収納し、これによって、第１キャップ体１０側の両固定部１２の拡開を防止するものでもある。
【００３７】
（第２実施例）
さて、図１２〜図１４には、本発明に係る吐水管キャップ１００の第２実施例が示してあるが、この吐水管キャップ１００の、前述した第１実施例に係る吐水管キャップ１００と異なる点は、その第１キャップ体１０側の係合受部１６が本体部１１の内側上部に形成してあり、これに対向する垂下部２１２側の係合部２１４も垂下部２１２の前側上部に形成したことである。
【００３８】
すなわち、この係合受部１６は、図１２及び図１３に示したように、第１キャップ体１０の本体部１１の前部内面から支柱を鍾乳石のように垂下させ、この支柱の先端に釣針のような状態で一体的に形成したものである。この係合受部１６が係合されるべき係合部２１４は、図１２及び図１４に示したように、垂下部２１２の上部前端の一部を前方に膨出させたものである。なお、この垂下部２１２と杆部２１０とを連続させている先端部２１１の上面は前方下部に向かう傾斜面としてある。また、この係合受部１６は、図１２及び１４に示したように、先端部２１１の上面に係合凹部２１５を形成しておいて、この係合凹部２１５内に嵌合する単なる突起として形成して実施してもよいものである（係合受部１６側は図示省略する）。
【００３９】
従って、この第２実施例の吐水管キャップ１００においては、その第１キャップ体１０を杆部２１０の先端部に上方から装着するとき、その内面に形成してある係合受部１６が吐水管２００の先端部２１１上に案内されて少し撓み、装着の最終段階において、垂下部２１２側の係合部２１４に係合することになるのである。
【００４０】
なお、本実施形態の吐水管キャップ１００を構成している第１キャップ体１０においては、図３〜図９に示すように、前述した固定部１２の近傍に位置する基端部分１１に、係合片１７が形成してあり、この係合片１７に対応する第２キャップ体２０側には、嵌合片２４が形成してある。これらの係合片１７及び嵌合片２４は、第１キャップ体１０及び第２キャップ体２０を一体化する場合の係合作用を発揮するものであって、係合片１７の下部には外方に突出する係合突状１７ａが一体的に形成してあり、この係合突状１７ａを係止するための嵌合溝２４ａが嵌合片２４の内側上部に形成してある。
【００４１】
第２キャップ体２０側の嵌合片２４は、第１キャップ体１０側の係合片１７を外から包み込むことになるものであり、この包み込みが完了したときに、係合片１７の係合突条１７ａが嵌合片２４の嵌合溝２４ａ内に嵌合係止されるものである。そして、係合突条１７ａと嵌合溝２４ａとが嵌合係止した場合には、「カチッ」という音がするのであるが、この音により、両者が互いに完全に装着されたことを耳で確認することができるものである。
【００４２】
【発明の効果】
以上詳述した通り、まず請求項１に係る発明においては、上記のように構成したことにその構成上の特徴があり、これにより、吐水管２００に対する一体化を容易かつガタつかせることなく確実に行うことができて、吐水管２００から簡単に外れないようにすることができ、しかもそのための構造としてそれ程の寸法精度が要求されることのない吐水管キャップ１００を提供することができるのである。
【００４３】
一方、請求項２に係る発明によれば、上記請求項１に係る発明の目的を達成することができる他、特に第１キャップ体１０を吐水管２００に対して回動し難くして、その固定をより一層確実にでき、吐水管２００から簡単には外れないようにすることのできる吐水管キャップ１００を、簡単な構造によって提供することができるのである。
【００４４】
そして、請求項３に係る発明によれば、上記請求項１または請求項２に係る発明の目的を達成することができる他、吐水管キャップ１００全体の吐水管２００側に対する固定をより一層確実にでき、吐水管２００から簡単には外れないようにすることのでき吐水管キャップ１００を、簡単な構造によって提供することができるのである。
【００４５】
特に、この請求項３の吐水管キャップ１００によれば、その固定部１２が杆部２１０をその外周の半周を越えて抱持しているため、吐水管キャップ１００全体の吐水管２００側に対する固定をより一層確実にでき、吐水管２００から簡単には外れないようにすることのできる吐水管キャップ１００を、簡単な構造によって提供することができるのものである。
【図面の簡単な説明】
【図１】本発明に係る吐水管キャップを台所の水栓に接続される吐水管に適用した状態を示す斜視図である。
【図２】同吐水管キャップの第１実施例に係る拡大断面図である。
【図３】同吐水管キャップを構成している第１キャップ体に第２キャップ体を装着する状態を示した、図５の３−３線に沿ってみた断面図である。
【図４】第１キャップ体の側面図である。
【図５】第１キャップ体の底面図である。
【図６】第１キャップ体と第２キャップ体との関係を示すもので、（イ）は主として第１キャップ体の拡大端面図、（ロ）は上記（イ）中の４線部の部分拡大端面図である。
【図７】第２キャップ体の、図８の（イ）中の６−６線に沿ってみた部分縦断側面図である。
【図８】第２キャップ体を示すもので、（イ）はその平面図、（ロ）はその底面図である。
【図９】第２キャップ体を示すもので、（イ）はその背面からみた端面図、（ロ）は上記（イ）中の７線部の部分拡大端面図である。
【図１０】吐水管を示すもので、（イ）はその平面図、（ロ）は一部破断側面図である。
【図１１】吐水管の吐水口に取り付けられる整流器キャップの部分破断拡大正面図である。
【図１２】本発明の第２実施例に係る吐水管キャップの拡大断面図である。
【図１３】同吐水管キャップを構成している第１キャップ体の拡大平面図である。
【図１４】同吐水管キャップが対象としている吐水管の平面図である。
【図１５】従来の技術を示す略側面図である。
【符号の説明】
１００  吐水管キャップ
１０  第１キャップ体
１１  本体部
１２  固定部
１３  拡開防止片
１４ａ  第１開口
１４ｂ  第２開口
１４ｃ  第３開口
１５  スライド係合部
１６  係合受部
１７  係合片
１７ａ  係合突条
２０  第２キャップ体
２１  嵌合収納部
２２  拡開阻止凹部
２３  スライド係合部
２４  嵌合片
２４ａ  嵌合溝
２００  吐水管
２１０  杆部
２１１  先端部
２１２  垂下部
２１３  吐水口
２１４  係合部
２２０  整流器
２２１  整流器キャップ
２２２  取付ネジ部
２２３  鍔部
【図１】
0003750035.tif 000002
【図２】
0003750035.tif 000003
【図３】
0003750035.tif 000004
【図４】
0003750035.tif 000005
【図５】
0003750035.tif 000006
【図６】
0003750035.tif 000007
【図７】
0003750035.tif 000008
【図８】
0003750035.tif 000009
【図９】
0003750035.tif 000010
【図１０】
0003750035.tif 000011
【図１１】
0003750035.tif 000012
【図１２】
0003750035.tif 000013
【図１３】
0003750035.tif 000014
【図１４】
0003750035.tif 000015
【図１５】
0003750035.tif 000016